(57)【要約】【課題】            ＩＣタグをリサイクル使用とする時、刃物等を用いずにアタッチ用線材から取り外すことのできる構成は、常にＩＣタグの脱落や不正な付け替え作業が容易になし得る状態にあるという点である。【解決手段】        ＩＣタグはＩＣチップ及びそのＩＣチップと電気的に接続されているアンテナとを内蔵したＩＣタグにおいて、そのＩＣタグの一縁寄りに、吊持用のアタッチ用線材を挿通する挿通孔を設け、その挿通孔から一縁まで連通して端部が開放されたスリットを形成してあることとし、ＩＣタグの装着構造は一縁寄りに吊持用のアタッチ用線材を挿通する挿通孔を設け、その挿通孔から一縁まで連通して端部が開放されたスリットを形成し、前記した挿通孔の両側に一定の間隔を隔てて透孔を穿設してなり、その透孔に先端に抜け止め部を一体に備えたステープル部材の両端を各々挿通して前記スリットを遮断させた状態として前記した吊持用のアッセンブリ線材を挿通孔に挿通してあることとする。【選択図】          図１
2005338928.tif 000002
【特許請求の範囲】
【請求項１】
ＩＣチップ及びそのＩＣチップと電気的に接続されているアンテナとを内蔵したＩＣタグにおいて、そのＩＣタグの一縁寄りに、吊持用のアタッチ用線材を挿通する挿通孔を設け、その挿通孔から一縁まで連通して端部が開放されたスリットを形成してあることを特徴とするＩＣタグ。
【請求項２】
前記したスリットは最短となる直線状とされていることを特徴とする請求項１に記載のＩＣタグ。
【請求項３】
前記した挿通孔の両側に一定の間隔を隔てて透孔を穿設してあることを特徴とする請求項１または請求項２に記載のＩＣタグ。
【請求項４】
前記した透孔の各中心を結んだラインは前記した挿通孔とスリットとの境部分に位置されることを特徴とする請求項３に記載のＩＣタグ。
【請求項５】
一縁寄りに吊持用のアタッチ用線材を挿通する挿通孔を設け、その挿通孔から一縁まで連通して端部が開放されたスリットを形成し、前記した挿通孔の両側に一定の間隔を隔てて透孔を穿設してなり、その透孔に先端に抜け止め部を一体に備えたステープル部材の両端を各々挿通して前記スリットを遮断させた状態として前記した吊持用のアッセンブリ線材を挿通孔に挿通してあることを特徴とするＩＣタグの装着構造。
【請求項６】
前記したステープル部材はプラスチック、ゴム等の伸縮変形性を有した素材で成形されていることを特徴とする請求項５に記載のＩＣタグの装着構造。
【発明の詳細な説明】
【技術分野】
【０００１】
本発明はＩＣタグに関し、主としてアパレル業界での使用を目的とした吊り下げタイプのＩＣタグ及びその装着構造に関する。
【背景技術】
【０００２】
近年、商品の管理に関し、従来のバーコードシステムに代り、無線ＩＤを使用したＩＣタグの採用が進められている。このＩＣタグは情報を書き込まれたＩＣチップと、そのＩＣチップと電気的に接続されたアンテナを共に硬質の紙やプラスチック等のタグ材に挟持ラミネートして保持させた構造とされている。
【０００３】
このＩＣタグは一つの商品に一つを装着し、消費者が購入した時点で外し、廃棄処分とすることが個人情報保護の面からは理想とされるが、現時点ではＩＣタグの価格は一つが数百円と高額のものとなっており使い捨てとするにはあまりにコスト面で折り合わないのが現状となっている。
【０００４】
そこで、消費者が最終的に購入を行なうレジカウンター等で、このＩＣタグを取り外し、リサイクル使用をすることが考察されている。しかし、一般的にＩＣタグはその一部に形成されている吊持用の挿通孔に延伸加工等を施され強靭な状態とされたプラスチック等のアタッチ用線材が通され、そのアタッチ部材によって商品の一部に吊持されているもので、このアタッチ用線材をカッター、ハサミ等の刃物を用いて切断して取り外す作業が必要となってくる。
【０００５】
しかしながら、特にアパレル業界にあっては商品を傷付けてしまう恐れが大きいため、レジカウンター等にあってカッター、ハサミ等の刃物の使用は極力避けるのが一般的となっている。
【０００６】
そのため、刃物を使用することなくＩＣタグをアタッチ用線材から外し、リサイクルに供する策として、ＩＣタグのアタッチ用線材を通す挿通孔からＩＣタグの一縁に向けて連通する屈曲された取り外し用のガイドスリットを形成することが提案されている。
【０００７】
しかし、上記した構成にあってはガイドスリットが常に開放されたままの状態となっているので、搬送等の商品流通過程において、ＩＣタグの脱落事故や付け替え等の不正行為等のおそれがつきまとってしまうものとなっている。
【特許文献１】特開２００３−３１０号公報
【発明の開示】
【発明が解決しようとする課題】
【０００８】
本発明が解決しようとする問題点は、従来、ＩＣタグをリサイクル使用とする時、刃物等を用いずにアタッチ用線材から取り外すことのできる構成は、常にＩＣタグの脱落や不正な付け替え作業が容易になし得る状態にあるという点である。
【課題を解決するための手段】
【０００９】
この問題点を解決するために、本発明に係るＩＣタグはＩＣチップ及びそのＩＣチップと電気的に接続されているアンテナとを内蔵したＩＣタグにおいて、そのＩＣタグの一縁寄りに、吊持用のアタッチ用線材を挿通する挿通孔を設け、その挿通孔から一縁まで連通して端部が開放されたスリットを形成してあることを特徴とし、前記したスリットは最短となる直線状とされていることを特徴とし、前記した挿通孔の両側に一定の間隔を隔てて透孔を穿設してあることを特徴とし、前記した透孔の各中心を結んだラインは前記した挿通孔とスリットとの境部分に位置されることを特徴としている。
【００１０】
また、本発明に係るＩＣタグの装着構造は一縁寄りに吊持用のアタッチ用線材を挿通する挿通孔を設け、その挿通孔から一縁まで連通して端部が開放されたスリットを形成し、前記した挿通孔の両側に一定の間隔を隔てて透孔を穿設してなり、その透孔に先端に抜け止め部を一体に備えたステープル部材の両端を各々挿通して前記スリットを遮断させた状態として前記した吊持用のアッセンブリ線材を挿通孔に挿通してあることを特徴とし、前記したステープル部材はプラスチック、ゴム等の伸縮変形性を有した素材で成形されていることを特徴としている。
【発明の効果】
【００１１】
上記した構成としたことにより、通常時にアタッチ用線材はステープル部材のフィラメントによって抑えられており、脱落や取り外し等を防止しているが、リサイクルのため商品から取り外す際にはＩＣタグを強めに引くことでステープル部材が切断もしくは抜け止め部が外れ、スリットを介して取り外すことができることとなり、その作業にカッターやハサミ等の刃物は一切不要となる。
【００１２】
さらには、ＩＣタグに加えてブランドタグやプライスタグも同時に一つのアタッチ用線材に吊持される時に、それらのタグを重ねてアタッチ用線材を通すことが可能となって、タグ装着のための作業時間や手間を増やしてしまうこともなくなるものとなっている。
【発明を実施するための最良の形態】
【００１３】
図面で示す実施例の構成とすることにより、目的を達成するものを実現した。
【実施例１】
【００１４】
次に、本発明の好ましい実施の例を図面を参照して説明する。図１は本発明を実施したＩＣタグを示す正面図、図２は同じくステープル部材を取り付けた状態の要部断面図、図３は同じくＩＣタグの要部正面図、図４は同じくＩＣタグの他の例を示す斜視図、図５は同じくステープル部材のアッセンブリ状態を示す斜視図、図６は同じく装着工程を示す図である。
【００１５】
これらの図にあって３はＩＣタグ本体を示している。このＩＣタグ３はＩＣチップ及びそのＩＣチップと電気的に接続されたアンテナが内蔵されたものとなっている。この実施例にあってはＩＣタグ本体３の上方寄り端部の略中央にアタッチ用線材、例えば両端をロックしてループを構成するタイプのものや両端に抜け止め部を備えたピンタイプのものが挿通される挿通孔１が設けられている。この挿通孔１の設けられる位置は前記したアンテナ等とははずれた位置となることは勿論である。
【００１６】
また、挿通孔１からは本実施例の場合、ＩＣタグ本体３の上端縁で開放される直線状をしたスリット２が形成されている。さらに、このスリット２の左右には所定の間隔を隔てて透孔４、４が穿設されており、この透孔４、４の高さ位置は挿通孔１とスリット２の境目あたりとされている。即ち、透孔４、４の中心を結ぶ仮想のラインは挿通孔１とスリット２の境目あたりを通ることとなる。
【００１７】
前記した透孔４、４にはステープル部材１０の両端が挿通されて取り付けられることとなる。このステープル部材１０は伸縮変形性を有するプラスチックやゴム等で成形されているもので、単体としてはフィラメント部１１と、そのフィラメント部１１の両端に一体に、直交状態で備えられた抜け止め部１２、１２とから構成されている。
【００１８】
このステープル部材１０は使用前は図５として示すアッセンブリ状態とされており、隣接する抜け止め部１２、１２‥間を比較的短い寸法とされたジョイント部１３、１３‥で結んで一体化されている。
【００１９】
このアッセンブリ状態とされたステープル部材１０、１０‥は専用の装着器具にセットされ、一つづつジョイント部１３、１３をカットしながら使用される。ステープル部材１０は装着器具に設けられた門型とされた一対の中空ニードル１４、１４内に抜け止め部１２、１２が導入され、その抜け止め部１２、１２を中空ニードル１４、１４の内面に沿ってピストン部材１５、１５が押し下げていくことで抜け止め部１２、１２は透孔４、４を通過し、ＩＣタグ本体３の裏面側へ達し、装着される。この装着によってフィラメント部１１は挿通孔１とスリット２の境目あたりに架け渡されることとなり、スリット２を遮断することとなる。なお、前記した中空ニードル１４、１４はその先端の相互に対向する内面が鋭角に欠落されており、その欠落部分から抜け止め部１２、１２が放出されることとなる。
【００２０】
前記したループタイプ、ピンタイプのアタッチ用線材は挿通孔１に挿通され、ステープル部材１０のフィラメント部１１で係合されることで脱落や取り外しを未然に防止されることとなる。また、ＩＣタグ本体３のほかにブランドタグやプライスタグも同一のアタッチ用線材で吊持される際は少しでも衝撃からＩＣタグ本体を守るため最も商品側となる位置とすることが望ましい。
【００２１】
また、ＩＣタグ本体３をリサイクルに供するため、店頭、レジカウンター等で商品から取り外す際、具体的にはアタッチ用線材から取り外す際は、ＩＣタグ本体３を摘んで強めに引くと、その力でステープル部材１０のフィラメント部１１が千切れるか変形、あるいは抜け止め部１２が透孔４から抜けることでフィラメント部１１によりなされていたスリット２の遮断が開放され、そのスリット２にアタッチ用線材を沿わす状態で、刃物等を用いることなく取り外すことができることとなる。
【００２２】
さらに、図４として示すのはＩＣタグの別の実施例である。この場合のＩＣタグ本体５は長手方向の略中央に横断する折り線６が備えられ、二つ折りして重合状態として使用するもので、例えば上着類等の折りネーム部分に一片を通し、重合させて装着する場合等を想定している。
【００２３】
このＩＣタグ本体５は長手方向の両端に挿通孔１、１及びそれに連続するスリット２、２が形成され、透孔４、４も前記した実施例と同様に形成されているもので、これらは折り線６に沿って二折りし、重合した際に連通されるものとなっており、アタッチ用線材の取り付け方法等は前記した実施例と同様となる。
【００２４】
また、本発明に係るＩＣタグ本体１、５にあってステープル部材１０を用いることなく、スリット２の部分に片面に接着剤を有する紙やプラスチックフィルム等を表裏にわたって貼装することでもスリット２の遮断効果は得ることができ、流通過程等におけるＩＣタグ本体１、５の脱落や付け替え等を防止することが可能となり、前記した紙やプラスチックフィルムはステープル部材と同様に容易に切断することができるのでＩＣタグの回収時に刃物類は不要とできる。
【産業上の利用可能性】
【００２５】
本実施例に係るＩＣタグ及びその装着構造は上記のようになっている。そのため、リサイクルを目的とせずとも回収を要する札類等、例えばホテルや劇場等におけるクロークでの照合札や整理札等にも幅広く応用でき、その場合は挿通されるアタッチ用線材もロープや針金等も対象とすることが可能となり、その他店頭における吊り売り商品自体のパッケージ等にも応用できるものとなっている。
【図面の簡単な説明】
【００２６】
【図１】本発明を実施したＩＣタグを示す正面図である。
【図２】ステープル部材を取り付けた状態の要部断面図である。
【図３】ＩＣタグの要部正面図である。
【図４】ＩＣタグの他の例を示す斜視図である。
【図５】ステープル部材のアッセンブリ状態を示す斜視図である。
【図６】装着工程を示す図である。
【符号の説明】
【００２７】
１    挿通孔
２    スリット
３    ＩＣタグ本体
４    透孔
５    ＩＣタグ本体
６    折り線
１０  ステープル部材
１１  フィラメント部
１２  抜け止め部
１３  ジョイント部
【図１】
2005338928.tif 000003
【図２】
2005338928.tif 000004
【図３】
2005338928.tif 000005
【図４】
2005338928.tif 000006
【図５】
2005338928.tif 000007
【図６】
2005338928.tif 000008